(57)【特許請求の範囲】
【請求項１】
燃料電池を有する電子機器であって、
発熱部品を冷却させるための冷却ファンと、
前記発熱部品を冷却させた冷却ファンの風を前記燃料電池にガイドするガイドブラケットと、
前記冷却ファンが内部に装着され、前記冷却ファンの風が吐出される第１貫通口が形成される本体ハウジングと、
前記第１貫通口から吐出される風を吸い込む第２貫通口が形成される電池ハウジングと、を含み、
前記本体ハウジングは、前記第１貫通口を開閉する遮断板及び前記冷却ファンの風が外部へ排出されるように一つ以上の空気排出口が形成され、
前記遮断板は前記第１貫通口を開放させた際、前記空気排出口を塞ぐように構成されることを特徴とする電子機器。
【請求項２】
前記ガイドブラケットは一側に吐出口が形成され、前記発熱部品を冷却させた冷却ファンの風が吐出口に吐出されるように風の方向をガイドする第１ガイドブラケットと、
一側に吸入口が形成され、前記吸入口を通して前記吐出口から吐出された風の伝達を受け前記燃料電池にガイドする第２ガイドブラケットと、
を含んで構成されることを特徴とする、請求項１に記載の電子機器。
【請求項３】
前記本体ハウジングと前記電池ハウジングは着脱可能な構造で結合されることを特徴とする、請求項２に記載の電子機器。
【請求項４】
前記第２ガイドブラケットは、前記吸入口が外側に突出されるように形成され、前記吸入口が前記第１貫通口を貫通して前記本体ハウジングの内部に引き込まれるように結合されることを特徴とする、請求項３に記載の電子機器。
【請求項５】
前記遮断板は、前記本体ハウジングの内部にヒンジ結合構造で装着され、前記本体ハウジングの内部に引き込まれる前記吸入口によって押し付けられ前記第１貫通口を開放させることを特徴とする、請求項４に記載の電子機器。
【請求項６】
前記遮断板が前記第１貫通口を覆うように前記第１貫通口に弾性力を印加する弾性手段をさらに含むことを特徴とする、請求項５に記載の電子機器。
【発明の詳細な説明】
【技術分野】
【０００１】
本発明は、化学反応を引き起こすことで電流を発生させる燃料電池を有する電子機器に関し、より詳しくは燃料電池に別途の空気供給用エアポンプやファンなしにも空気を充分に供給することが可能になるように構成される電子機器に関する。
【背景技術】
【０００２】
近年、小型のポータブル電源としてポータブル燃料電池が開発されている。このポータブル燃料電池は、数百ワット（Ｗａｔｔ）程度の発電が可能で、従来から利用されているエンジンに応じて発電機を駆動させ発電するポータブル電源と比べた時、大気汚染物質の排出が少なく、かつ騷音の発生が少ない点で優れている。
【０００３】
一般的にポータブル燃料電池は、リン酸型の発電セル（Ｃｅｌｌ）が積層されている燃料電池本体を有し、上記燃料電池本体に空気を送る空気供給ファン（ｆａｎ）や、燃料ガスとしての水素を送る水素吸蔵合金タンクなどがケースに収納されるように構成されており、その運転時においては、空気供給ファンによって移送される空気と、水素供給源から供給される水素を利用して発電を行うようになっている。
【０００４】
このようなポータブル燃料電池においては、できるだけ簡素な構成で性能運転することができるように考慮されており、空気供給ファンから燃料電池本体に移送される空気により燃料電池本体を冷却する一方、燃料電池本体から排出される高温の空気を水素吸蔵合金タンクの加温に利用する技術が提案されている。
【０００５】
燃料電池本体から完全に反応されてない燃料ガスが排出されるように、通常ポータブル燃料電池には未反応水素を処理するための触媒燃焼機が設けられている。この触媒燃焼機には白金触媒などが保持される触媒層が設けられており、この触媒層に未反応水素と空気との混合物を利用して触媒燃焼をするようになっている。
【０００６】
この際、燃料電池は酸素を含んだ空気が充分に供給されると円滑に電流を発生させることが可能であるが、自然対流方式で燃料電池に空気を供給する方式は充分な空気供給が難しいという短所がある。このような短所を解決するために、別途のファン（ｆａｎ）を利用して、積層されたセルの間に空気を強制的に供給する方式が提案されている。
【０００７】
以下、添付された図面を参照して従来の燃料電池に対して詳しく説明する。
【０００８】
図１は、従来燃料電池の斜視図である。説明上、図１において矢印Ａの方向を前方、矢印Ａと直交する水平方向を横方向とする。
【０００９】
図１に示すように従来の燃料電池は、ケース１内で水素と空気の供給を受けて発電を行うリン酸型の燃料電池本体２と、貯蔵している水素を燃料電池本体２に供給する水素吸蔵合金タンク６と、燃料電池本体２に空気を供給する空気供給ファン８と、燃料電池本体２から排出される未反応水素を処理する触媒燃焼機１０と、外部に供給する電力の電圧を一定に制御するＤＣ−ＤＣコンバータと、上記各部の動作を制御するための制御装置とが収納されるように構成されている。
【００１０】
電池スタック３は、所定枚数（例えば３０枚）の長方形のリン酸型の発電セルがバイポーラプレートを利用して横方向に積層され、その積層体の両端が単板で締結され構成されている。燃料電池本体２において、分配マニホールド４に供給される水素ガスは、電池スタック３内を下方向へ流れながら発電セルに供給され、未反応水素が回収マニホールド５に回収される。一方、電池スタック３の全面に供給される空気は、電池スタック３内を後方向に流れながら、発電セルに供給されると同時に燃料電池本体２を空気冷却し、高温の空気が電池スタック３の後面へ排出される。
【００１１】
ケース１の内部には、この燃料電池本体２の後面、上面、前面に沿って仕切り３１、３２、３３が設けられている。ケース１の内部は仕切り３１によって前後が区分され、その後方に後側空間３４が形成されている。また、仕切り３１の前側空間は、仕切り３２によって上下が区分され、その上方に上部空間３５が形成され、またその下方の空間は仕切り３３によって前後が区分され、その前方に前部分空間３６が形成されている。また、仕切り３１、３３には電池スタック３と対向する部位に空気の出入りのための開口部が設けられている。
【００１２】
水素吸蔵合金タンク６は、水素吸蔵合金を充填した複数個の水素吸蔵合金タンク６ａが連結されており、後側空間３４内に装着できるようになっている。また、水素吸蔵合金タンク６と分配マニホールド４とは、水素導入管（図示せず）で連結され、分配マニホールド４に水素が供給されるようになっている。
【００１３】
空気供給ファン８はその中央部分に吸気口８ａが形成され、下側に送風口８ｂが形成され、上部空間３５内で前部分空間３６の上方位置に設けられている。触媒燃焼機１０は、上面と下面が完全に開かれる直方体状の外装板１１と、外装板１１内の上部空間に挿入される棒形の水素供給ノズル１２と、外装板１１内部の下部空間に充填される触媒層１３とで構成されており、前部分空間３６内で仕切り３２の下方に設置される支持板３７に沿って、前部分空間３６内の前方に固定されている。
【００１４】
また支持板３７には、その上方からの空気が好適な割合で触媒燃焼機１０の中間側と外側に分配され下方へ流れるように開口部３７ａ、３７ｂが開設されている。また、回収マニホールド５から水素供給ノズル１２までの間には、未反応水素を導く水素導入管が設けられている。触媒層１３は、ハニカム（ｈｏｎｅｙｃｏｍｂ）状の保持体に白金触媒が保持されるように形成され、上記触媒層を通過する未反応水素と空気との混合物を触媒燃焼するようになっている。
【００１５】
このような触媒燃焼機１０において、その上面から吸い込まれた空気を利用して、回収マニホールド５からの未反応水素が触媒燃焼され、高温の燃焼ガスがその下面から排出される。ＤＣ−ＤＣコンバータ及び制御装置は、上部空間３５内に重なるように設置されている。また、空気導入口４１はＤＣ−ＤＣコンバータ及び制御装置の位置に応じて形成位置が設定され、これらから燃料電池本体２に送られる空気を加熱する機動用ヒーター（図示せず）が設置されている。
【００１６】
このように従来の燃料電池は、電池スタック３に空気を供給するための空気供給ファン８と、供給される空気を加熱するための機動用ヒーターを別に設けなければならないので、内部構成が複雑になって製造工程が難しくなり、製造原価が上昇されるばかりでなく、製品の小型化が難しくなるという問題点がある。
【００１７】
また、空気供給ファン８と機動用ヒーター動作時に騷音が発生され使用に相当な不便が生じるばかりでなく、空気供給ファン８と機動用ヒーター動作のためにさらに電源が要求されるという短所もある。特に上記のような燃料電池がノート型コンピュータに適用される場合には、ＣＰＵ冷却のための冷却ファンと空気供給ファン８を各々設けなければならないので、騷音がさらに大きくなるという短所がある。
【００１８】
また、電流発生のために燃料電池において行われる化学反応は供給される空気の温度が６０乃至７０℃である時、活発に起こるようになるが、周辺温度が低くて燃料電池に低温の空気が供給される場合には燃料電池の性能が著しく低下されるという問題点もある。
【発明の開示】
【発明が解決しようとする課題】
【００１９】
本発明は上記のような問題点を解決するために提案されたもので、燃料電池に別途の空気ポンプやファンなしにも空気を充分に供給することが可能で、燃料電池に高温の空気を供給することにより燃料電池の性能を向上させることが可能であり、製品の騷音減少及び小型化を実現することができる電子機器を提供することである。
【課題を解決するための手段】
【００２０】
上記のような目的を達成するための本発明による電子機器は、燃料電池を有する電子機器であって、発熱部品を冷却させるための冷却ファンと、上記発熱部品を冷却させた冷却ファンの風を上記燃料電池にガイドするガイドブラケットとを含んで構成される。
【００２１】
上記ガイドブラケットは一側に吐出口が形成され、上記発熱部品を冷却させた冷却ファンの風が吐出口に吐出されるように風の方向をガイドする第１ガイドブラケットと、一側に吸入口が形成され、上記吸入口を通して上記吐出口から吐出された風の伝達を受け上記燃料電池にガイドする第２ガイドブラケットと、を含んで構成される。
【００２２】
上記冷却ファン及び上記第１ガイドブラケットが内部に装着され、上記冷却ファンの風が吐出される上記第１ガイドブラケットの吐出口と対応する部位に第１貫通口が形成される本体ハウジングと、上記燃料電池及び上記第２ガイドブラケットが内部に装着され上記吐出口から吐出される風を吸い込む吸入口と対応する部位に第２貫通口が形成される電池ハウジングをさらに含むように構成される。
【００２３】
上記本体ハウジングと上記電池ハウジングは着脱可能な構造で構成される。
【００２４】
この際、上記第２ガイドブラケットは上記吸入口が外側に突出されるように形成され、上記吸入口が上記第１貫通口を貫通して上記本体ハウジングの内部に引き込まれるように形成される。
【００２５】
上記本体ハウジングは、上記第１貫通口を開閉する遮断板をさらに含む。
【００２６】
上記遮断板は、上記本体ハウジングの内部にヒンジ結合構造で装着される。
【００２７】
この際、上記本体ハウジングは上記遮断板が上記第１貫通口を覆うように上記第１貫通口に弾性力を印加する弾性手段をさらに含むことが好ましい。
【００２８】
この際、上記第１貫通口は上記本体ハウジングの一側に形成されることもでき、上記本体ハウジングの底面に形成されることもできる。
【００２９】
また、上記本体ハウジングと上記電池ハウジングは、上記吐出口と上記吸入口が相互に接するように結合されたり、分離されるように着脱可能な構造で構成される。
【００３０】
上記本体ハウジングは、上記第１ガイドブラケットから吐出される空気が外部に排出されるように一つ以上の空気排出口が形成され、上記遮断板は上記第１貫通口を開放させた際、上記空気排出口を塞ぐように構成される。
【発明の効果】
【００３１】
本発明による電子機器は、別途の空気ポンプやファンなしにも燃料電池に空気を充分に供給することにより燃料電池の化学反応を円滑にすることが可能で、燃料電池に高温の空気を供給することにより燃料電池の性能をより一層向上させることが可能であり、製品の騷音減少及び小型化を実現することができるという長所がある。
【００３２】
さらに、本発明による電子機器は本体と燃料電池がより簡便に着脱が可能になるように構成されているので、使用が便利であり、燃料電池が分離された際、本体内部にほこりやその他の異物質が引き込まれないという利点がある。 
【発明を実施するための最良の形態】
【００３３】
以下、添付された図面を参照して本発明による電子機器の実施例を説明する。
【００３４】
図２は、本発明による電子機器の内部構成を示す斜視図である。図２に示す本発明による電子機器の実施例はノート型コンピュータであって、メインボード１１０に装着されるＣＰＵ１００（Ｃｅｎｔｒａｌ Ｐｒｏｃｅｓｓｉｎｇ Ｕｎｉｔ）を冷却させるための冷却ファン２００と、ノート型コンピュータの各部に電源を供給するための燃料電池３００と、冷却ファン２００によって発生される風がＣＰＵ１００を冷却させた後燃料電池３００に伝達されるように風の方向をガイドするガイドブラケット４００を含んで構成される。
【００３５】
ガイドブラケット４００は、ＣＰＵ１００を冷却させた冷却ファン２００の風が一側に吐出されるように風の方向をガイドする第１ガイドブラケット４１０と、第１ガイドブラケット４１０から吐出された風の伝達を受け燃料電池３００にガイドする第２ガイドブラケット４２０とを含んで構成される。第１ガイドブラケット４１０はＣＰＵ１００を覆うようにメインボード１１０に結合されており、一側に吐出口４１２が形成され、冷却ファン２００の風は全て吐出口４１２を通して第１ガイドブラケット４１０の外部へ引き出される。また第２ガイドブラケット４２０は第１ガイドブラケット４１０と連結される際、吐出口４１２と接するようになる吸入口４２２が形成される。
【００３６】
ＣＰＵ１００を冷却させるための冷却ファン２００は第１ガイドブラケット４１０の外側、即ち第１ガイドブラケット４１０の上側の空気を吸いこんで吐出口４１２を通して第１ガイドブラケット４１０の外側へ吐出する。この際、冷却ファン２００の回転方向が反対になる場合、即ち、第１ガイドブラケット４１０の上側に空気を吐出させるように構成される場合、第１ガイドブラケット４１０は側面が開放され冷却ファン２００の上側に吐出される風の方向を変更し第２ガイドブラケット４２０に伝達するように構成が変更され得る。
【００３７】
また第１ガイドブラケット４１０と第２ガイドブラケット４２０は、冷却ファン２００の風がより円滑に通過することができるように曲線を成して形成される。
【００３８】
図３は本発明による電子機器の水平断面図である。図３に示すように本発明による電子機器は、冷却ファン２００及び第１ガイドブラケット４１０が内部に装着される本体ハウジング５００と、燃料電池３００及び第２ガイドブラケット４２０が内部に装着される電池ハウジング６００をさらに含むように構成される。第２ガイドブラケット４２０は吸入口４２２側の終端が電池ハウジング６００の外側に突出されるように形成され、本体ハウジング５００と電池ハウジング６００が結合された際、第２ガイドブラケット４２０の吸入口４２２側の終端は本体ハウジング５００を貫通して吐出口４１２に密着される。
【００３９】
冷却ファン２００が回転することにより第１ガイドブラケット４１０の外部の空気は第１ガイドブラケット４１０の内部に引き込まれＣＰＵ１００を冷却させた後、吐出口４１２を通して第１ガイドブラケット４１０の外部へ引き出される。この際、吐出口４１２と吸入口４２２が相互密着されるように第１ガイドブラケット４１０と第２ガイドブラケット４２０が結合されているため、第１ガイドブラケット４１０の外部に引き出される空気は吸入口４２２を通して第２ガイドブラケット４２０の内部に引き込まれ燃料電池３００を通った後、放出口６２０を通して外部へ引き出される。このように本発明による電子機器は燃料電池３００に空気を強制的に供給するので、燃料電池３００は電流発生のための化学反応に必要な酸素の供給を充分に受けることが可能である。この際、第１ガイドブラケット４１０の外部へ吐出される空気はＣＰＵ１００を冷却させる間加熱された後、燃料電池３００に伝達されるので、燃料電池３００内において起こる化学反応はさらに活発になり、これにより燃料電池３００の性能はより一層向上する。
【００４０】
また本発明による電子機器は別途のエアポンプや送風装置なしに燃料電池３００に空気を供給することができるので、製品の内部構造がより簡単になる。従って、製品の製造過程が単純化され、部品数が減少されることにより製品の小型化が可能となり、エアポンプや送風装置で発生される騷音を防止できるようになる。
【００４１】
本実施例では、燃料電池３００が放電されたり、寿命が終えた時より容易に燃料電池３００を入れ替えることができるように、本体ハウジング５００と電池ハウジング６００が相互着脱可能な構造で構成され、ガイドブラケットは第１ガイドブラケット４１０と第２ガイドブラケット４２０に分けられて、構成されている。この際、本体ハウジング５００と電池ハウジング６００は結合クリップや結合ナックルなど別途の結合手段によって結合されるように構成されることもでき、別途の結合手段なしに嵌め合わせ方式で結合されるように構成されることもできる。このようなハウジング５００、６００間の結合構造は従来の部品間の結合構造と同一であるので、これに対する詳細な説明は省略する。
【００４２】
また、本発明による電子機器に含まれる本体ハウジング５００と電池ハウジング６００は一体に形成されることも可能であり、この際、ガイドブラケットは冷却ファン２００と燃料電池３００の間に固定結合されるように一体に設けられることが好ましい。
【００４３】
図４は本体ハウジングと電池ハウジングが分離された本発明による電子機器の垂直断面図であり、図５は本体ハウジングと電池ハウジングが結合された本発明による電子機器の垂直断面図である。
【００４４】
図４に示すように、電池ハウジング６００は第２ガイドブラケット４２０の吸入口４２２側の終端が外部に突出できるように第２貫通口６１０が形成され、本体ハウジング５００の一側には第２ガイドブラケット４２０の吸入口４２２側の終端が引き込まれるように第１貫通口５１０が形成される。この際、第１貫通口５１０が常に開放された状態を保持するようになると本体ハウジング５００から電池ハウジング６００が分離された際、本体ハウジング５００の内部にほこりやその他の異物質が引き込まれるので、本発明に適用される本体ハウジング５００は第１貫通口５１０を開閉させる遮断板５２０をさらに含む。
【００４５】
上記遮断板５２０は第１貫通口５１０の内側を覆うようにヒンジ５３０を中心に回転可能な構造で構成される。従って、電池ハウジング６００と本体ハウジング５００が結合される際、遮断板５２０は図５に示すように本体ハウジング５００の内部に引き込まれる第２ガイドブラケット４２０の吸入口４２２側の一端によって押し付けられヒンジ５３０を中心に回転されながら第１貫通口５１０を開放させる。
【００４６】
本発明に適用される遮断板５２０は、引き戸構造で第１貫通口５１０を開閉させるように構成されたり、第１貫通口５１０を覆うことで第１貫通口５１０を閉鎖させる蓋構造で構成されることもできる。しかし、図４及び図５に示すように遮断板５２０がヒンジ５３０を中心に回転することにより第１貫通口５１０を開閉させるように構成される場合、ユーザは第１貫通口５１０を開放させるための別途の動作なしに本体ハウジング５００と電池ハウジング６００を結合させることができるので使用がより簡便になるという長所がある。この際、第２ガイドブラケット４２０が本体ハウジング５００の外部に完全に引き出される場合、遮断板５２０がより確実に第１貫通口５１０を閉鎖させることができるように、即ち、第１貫通口５１０に遮断板５２０が密着された状態を保持できるように、本体ハウジング５００には遮断板５２０に弾性力を印加する弾性手段（図示せず）がさらに具備され得る。遮断板５２０に弾性力を印加する弾性手段は各種スプリング及び弾性物質などで適用され得る。
【００４７】
また、本実施例では第２ガイドブラケット４２０の吸入口４２２側の一部が本体ハウジング５００の内部に引き込まれるように構成されているが、逆に第１ガイドブラケット４１０の吐出口４１２側の一部が本体ハウジング５００の外部に突出され第２ガイドブラケット４２０の吸入口４２２側が電池ハウジング６００の内部に引き込まれるように形成され、第１ガイドブラケット４１０の吐出口４１２側の一部が電池ハウジング６００の内部に引き込まれ第２ガイドブラケット４２０の吸入口４２２に密着されるように構成が変更され得る。もちろん、このような場合、遮断板５２０は第２貫通口６１０を開閉するように電池ハウジング６００の内側に設けなければならない。
【００４８】
図６は本体ハウジングと電池ハウジングが分離された本発明による電子機器の第２実施例の垂直断面図であり、図７は本体ハウジングと電池ハウジングが結合された本発明による電子機器の第２実施例の垂直断面図である。
【００４９】
図６及び図７に示すように電池ハウジング６００は本体ハウジング５００の底面に結合されるように構成され得る。
【００５０】
この場合にも第２ガイドブラケット４２０の吸入口４２２側の一端が第１ガイドブラケット４１０の吐出口４１２側の一端に密着されなければならないので、第１貫通口５１０は本体ハウジング５００の底面に形成され、第２貫通口６１０は電池ハウジング６００の上面に形成される。この際、第１貫通口５１０を開閉させる遮断板５２０は、図４及び図５に示す実施例と比較した時、結合位置のみ変更されただけで、構成及び動作は同じであるので、これに対する詳細な説明は省略する。
【００５１】
上記のように電池ハウジング６００が本体ハウジング５００の底面に結合されるように構成されると、製品の全体面積の大きさを減らすことができ、電池ハウジング６００の面積を増大させることでより大きい燃料電池３００を使用することが可能で、電池ハウジング６００と本体ハウジング５００の接触面積が増加されることにより電池ハウジング６００と本体ハウジング５００の結合力を増大させることができるという長所がある。
【００５２】
図８は本発明による電子機器の第３実施例の本体ハウジングの垂直断面図であり、図９は本体ハウジングと電池ハウジングが結合された本発明による電子機器の第３実施例の垂直断面図である。
【００５３】
通常ノート型コンピュータは電池から供給される電源の印加を受け動作するが、電池が放電された場合には、図８に示すように電池を取り除いた後アダプタなどの別途の電源供給手段を利用して電源の供給を受け動作することができるように構成されている。
【００５４】
図８に示すように、本体ハウジング５００から電池ハウジング６００が分離されると冷却ファン２００の動作時に発生される暖かい空気の通気口の役目をする第１貫通口５１０は、遮断板５２０によって遮断されるので、電池ハウジング６００が分離された状態でも冷却ファン２００によって発生される暖かい空気が本体ハウジング５００の外部へ逃げられるように上記本体ハウジング５００の一側には多数の空気排出口５４０が形成される。
【００５５】
従って、電池ハウジング６００が分離され第１貫通口５１０が閉鎖された状態でもＣＰＵ１００を冷却させる間に加熱された高温の空気が本体ハウジング５００の外部へ逃げられるので、本体ハウジング５００の内部が過熱される現象が防止される。
【００５６】
また図９に示すように本体ハウジング５００に電池ハウジング６００が結合されると、遮断板５２０は本体ハウジング５００の内部に引き込まれる第２ガイドブラケット４２０の一端に押し付けられ回転され、冷却ファン２００によって流動するようになる空気は第２ガイドブラケット４２０を通して燃料電池３００に伝達される。この際、多数の空気排出口５４０が開放された状態を維持すると、冷却ファン２００によって流動するようになる空気の一部が上記空気排出口５４０を通して本体ハウジング５００の外部へ引き出されるので、燃料電池３００への空気伝達効率が低下される。
【００５７】
したがって、遮断板５２０は、図９に示すように本体ハウジング５００の内部に引き込まれる第２ガイドブラケット４２０の一端に押し付けられ回転された際、空気排出口５４０を塞ぐように構成されることが好ましい。
【００５８】
また、上記のように空気排出口５４０が遮断板５２０によって塞がれるようになると、吸入口４２２が吐出口４１２に密着されなくても吐出口４１２から吐出される空気は吸入口４２２に引き込まれるので、吸入口４２２と吐出口４１２は相互密着されないように構成されることもできる。
【００５９】
本実施例では本発明による電子機器としてノート型コンピュータを説明したが、本発明による電子機器は燃料電池を使用するように構成される各種電機及び電子製品などに適用されることができ、大きさ及び形状は多様に変更され得る。 
【００６０】
以上、本発明を好ましい実施例に従って詳しく説明したが、本発明の範囲は特定実施例に限定されるものではなく、添付された特許請求範囲によって解釈されるべきである。また、この技術分野において通常の知識を有する者であれば、本発明の範囲から外れないながらも多様な修正及び変形が可能であることを理解すべきである。
【図面の簡単な説明】
【００６１】
【図１】従来の燃料電池を示す斜視図である。
【図２】本発明による電子機器の結合構成を示す斜視図である。
【図３】本発明による電子機器の水平断面図である。
【図４】本体ハウジングと電池ハウジングが分離された本発明による電子機器の垂直断面図である。
【図５】本体ハウジングと電池ハウジングが結合された本発明による電子機器の垂直断面図である。
【図６】本体ハウジングと電池ハウジングが分離された本発明による電子機器の第２実施例の垂直断面図である。
【図７】本体ハウジングと電池ハウジングが結合された本発明による電子機器の第２実施例の垂直断面図である。
【図８】本発明による電子機器において第３実施例の本体ハウジングの垂直断面図である。
【図９】本発明による電子機器において第３実施例の本体ハウジングと電池ハウジングが結合された形状を示す垂直断面図である。
【符号の説明】
【００６２】
１００  ＣＰＵ 
１１０  メインボード
２００  冷却ファン 
３００  燃料電池
４００  ガイドブラケット 
４１０  第１ガイドブラケット
４１２  吐出口 
４２０  第２ガイドブラケット
４２２  吸入口 
５００  本体ハウジング
５１０  第１貫通口 
５２０  遮断板
５３０  ヒンジ 
５４０  空気排出口
６００  電池ハウジング
【図１】
0004749307.tif 000002
【図２】
0004749307.tif 000003
【図３】
0004749307.tif 000004
【図４】
0004749307.tif 000005
【図５】
0004749307.tif 000006
【図６】
0004749307.tif 000007
【図７】
0004749307.tif 000008
【図８】
0004749307.tif 000009
【図９】
0004749307.tif 000010